(57)【特許請求の範囲】
【請求項１】
車体等の固定部に対して回転可能に座席シートおよび背凭シートからなるシートを取付け、該シートを一方側と他方側の夫々の向きに固定する回転ロック装置の回転操作レバーの操作を規制する装置において、前記回転操作レバーの操作を検出するストッパ解除スイッチ１１とシフトレバーが保持されていることを検出するシフトロックスイッチ１２と、少なくとも、前記回転操作レバーの操作に連動する操作伝達部材３とを有し、前記ストッパ解除スイッチ１１とシフトロックスイッチ１２との夫々は、該ストッパ解除スイッチ１１およびシフトロックスイッチ１２に接続するハーネス２５のスイッチ接続線部分２６と共に、前記操作伝達部材３を取付けた前記シートまたは車体側に取付ける取付用ブラケット２とは別体の取付台座１５に取付け、該取付台座１５は前記取付用ブラケット２に固定した回転シートのロック装置。
【請求項２】
請求項１において、前記ストッパ解除スイッチ１１とシフトロックスイッチ１２は一方側に夫々のスイッチ端子１８を他方側に夫々の接続用端子１９を並設して取付台座１５の台座部１６に取付け、台座部１６の接続用端子１９側に所定間隔を置いて起立するハーネス取付部２０を設け、該ハーネス取付部２０にハーネス２５を添わせると共にスイッチ接続線部分２６を位置させて固定した回転シートのロック装置。
【請求項３】
請求項１または請求項２において、前記取付台座１５は、前
記ストッパ解除スイッチ１１とシフトロックスイッチ１２を取付ける台座部１６と、該台座部１６に所定間隔を置いて対峙するハーネス取付部２０と、台座部１６とハーネス取付部２０との間に設けた台座中間部２１とにより構成し、前記ハーネス取付部２０は前記台座中間部２１より突出するハーネス取付腕部２２を有し、該ハーネス取付腕部２２にハーネス２５を係止部材２７により止着した回転シートのロック装置。
【請求項４】
請求項１または請求項２または請求項３において、前記取付用ブラケット２には、前記ストッパ解除スイッチ１１とシフトロックスイッチ１２およびハーネス２５を取付けた取付台座１５と、前記ストッパ解除スイッチ１１とシフトロックスイッチ１２に接触するスイッチ接触体１０および回転規制突部５を有する回転操作レバーの操作に連動して回動する平板状の操作伝達部材３と、前記回転規制突部５の移動路に臨んで該回転規制突部５に当接するストッパ位置と移動路より退避する退避位置の間移動する回転操作規制ストッパー６および該回転操作規制ストッパー６を作動させるソレノイド８とを設け、前記取付用ブラケット２はシートの回転方向に長く形成し、該取付用ブラケット２の長さ方向の何れか一方に操作伝達部材３を何れか他方に回転操作規制ストッパー６を設け、操作伝達部材３と回転操作規制ストッパー６の間にソレノイド８を位置させ、シートの回転中心に対して操作伝達部材３の外側にストッパ解除スイッチ１１とシフトロックスイッチ１２を配置した回転シートのロック装置。
【請求項５】
請求項４において、前記ハーネス２５のコネクタ３２を接続する回転操作規制ストッパー６のコネクタ接続部３３は、シートの回転中心に対して回転操作規制ストッパー６の内側に配置した回転シートのロック装置。
【発明の詳細な説明】
【０００１】
【産業上の利用分野】
本発明は、所謂回転シート機構を有するシートの回転ロック装置に係るものである。
【０００２】
【従来技術】
従来公知の特開２０００−１７７４４７号公報には、車体等の固定部に対して回転可能に座席シートおよび背凭シートからなるシートを取付け、該シートを一方側と他方側の夫々の向きに固定する回転ロック装置の回転操作レバーの操作を規制する装置において、前記回転操作レバーの操作を検出するストッパ解除スイッチとシフトロックスイッチを取付台座に取付け、該取付台座は前記シートまたは車体側に取付ける取付用ブラケットに固定した構成について開示されている。
【０００３】
【発明が解決しようとする課題】
前記公知例は、ストッパ解除スイッチとシフトロックスイッチに接続するハーネスを別途取付けていたので、注意深く接続しないと、スイッチとハーネスのスイッチ接続線部分との接続不良が生じ、作業が面倒であるという課題がある。
また、スイッチに接触するスイッチ接触体および回転規制突部を有する操作伝達部材と、回転操作規制ストッパーと、ソレノイドとを取付用ブラケットに設けているが、取付用ブラケット全体が大型になるという課題がある。
本発明は、前記課題を解決するものである。
【０００４】
【発明の目的】
接続作業の容易化、組立作業等の作業性の向上、耐久性の向上、小型化。
【０００５】
【課題を解決するための手段】
本発明は、車体等の固定部に対して回転可能に座席シートおよび背凭シートからなるシートを取付け、該シートを一方側と他方側の夫々の向きに固定する回転ロック装置の回転操作レバーの操作を規制する装置において、前記回転操作レバーの操作を検出するストッパ解除スイッチ１１とシフトレバーが保持されていることを検出するシフトロックスイッチ１２と、少なくとも、前記回転操作レバーの操作に連動する操作伝達部材３とを有し、前記ストッパ解除スイッチ１１とシフトロックスイッチ１２との夫々は、該ストッパ解除スイッチ１１およびシフトロックスイッチ１２に接続するハーネス２５のスイッチ接続線部分２６と共に、前記操作伝達部材３を取付けた前記シートまたは車体側に取付ける取付用ブラケット２とは別体の取付台座１５に取付け、該取付台座１５は前記取付用ブラケット２に固定した回転シートのロック装置としたものである。
本発明は、前記ストッパ解除スイッチ１１とシフトロックスイッチ１２は一方側に夫々のスイッチ端子１８を他方側に夫々の接続用端子１９を並設して取付台座１５の台座部１６に取付け、台座部１６の接続用端子１９側に所定間隔を置いて起立するハーネス取付部２０を設け、該ハーネス取付部２０にハーネス２５を添わせると共にスイッチ接続線部分２６を位置させて固定した回転シートのロック装置としたものである。
本発明は、前記取付台座１５は、前記ストッパ解除スイッチ１１とシフトロックスイッチ１２を取付ける台座部１６と、該台座部１６に所定間隔を置いて対峙するハーネス取付部２０と、台座部１６とハーネス取付部２０との間に設けた台座中間部２１とにより構成し、前記ハーネス取付部２０は前記台座中間部２１より突出するハーネス取付腕部２２を有し、該ハーネス取付腕部２２にハーネス２５を係止部材２７により止着した回転シートのロック装置としたものである。
本発明は、前記取付用ブラケット２には、前記ストッパ解除スイッチ１１とシフトロックスイッチ１２およびハーネス２５を取付けた取付台座１５と、前記ストッパ解除スイッチ１１とシフトロックスイッチ１２に接触するスイッチ接触体１０および回転規制突部５を有する回転操作レバーの操作に連動して回動する平板状の操作伝達部材３と、前記回転規制突部５の移動路に臨んで該回転規制突部５に当接するストッパ位置と移動路より退避する退避位置の間移動する回転操作規制ストッパー６および該回転操作規制ストッパー６を作動させるソレノイド８とを設け、前記取付用ブラケット２はシートの回転方向に長く形成し、該取付用ブラケット２の長さ方向の何れか一方に操作伝達部材３を何れか他方に回転操作規制ストッパー６を設け、操作伝達部材３と回転操作規制ストッパー６の間にソレノイド８を位置させ、シートの回転中心に対して操作伝達部材３の外側にストッパ解除スイッチ１１とシフトロックスイッチ１２を配置した回転シートのロック装置としたものである。
本発明は、前記ハーネス２５のコネクタ３２を接続する回転操作規制ストッパー６のコネクタ接続部３３は、シートの回転中心に対して回転操作規制ストッパー６の内側に配置した回転シートのロック装置としたものである。
【０００６】
【実施例】
本発明の実施例を図面により説明すると、１は車体に対して縦軸回転させて向きを変更できるようにした車両用シートの回転操作を規制する回転操作規制装置であり、車両用シートの回転機構は任意で公知の何れのものでもよく、要件ではないので、詳細は省略する。
２は回転操作規制装置１を取付ける取付用ブラケット２であり、取付用ブラケット２には回転操作規制装置１の一部を構成するシート側に設けた回転操作レバーの操作に連動して回動する平板状の操作伝達部材３を伝達部材取付軸４により縦軸回動するように取付ける。
前記操作伝達部材３には回転規制突部５を設ける。回転規制突部５の伝達部材取付軸４を中心とする移動路には、該移動路に臨んで前記回転規制突部５に当接するストッパ位置と移動路より退避する退避位置の間移動する回転操作規制ストッパー６を設ける。回転操作規制ストッパー６はストッパー取付軸７により取付用ブラケット２に回動自在に取付ける。回転操作規制ストッパー６には、所望位置に設けたソレノイド８の作動片９を取付け、ソレノイド８によりストッパ位置と退避位置の間移動させる。
【０００７】
しかして、前記操作伝達部材３にはスイッチ接触体１０を設け、スイッチ接触体１０の移動路には、操作伝達部材３の回動始端側より近い側より順にストッパ解除スイッチ１１とシフトロックスイッチ１２を設ける。
ストッパ解除スイッチ１１とシフトロックスイッチ１２は取付台座１５の台座部１６に並設した状態で固定する。台座部１６の左右側には取付部１７を設け、取付部１７を前記取付用ブラケット２に固定する。
取付台座１５は前記操作伝達部材３の移動路に前記ストッパ解除スイッチ１１とシフトロックスイッチ１２のスイッチ端子１８が臨むように取付け、ストッパ解除スイッチ１１とシフトロックスイッチ１２の反スイッチ端子１８側には接続用端子１９を設ける。
【０００８】
台座部１６の接続用端子１９側にはハーネス取付部２０を相対峙するように設け、ハーネス取付部２０と台座部１６との間に台座中間部２１を設ける。ハーネス取付部２０は台座中間部２１に対して起立するように設け、ハーネス取付部２０は台座中間部２１より左右に幅広に形成してハーネス取付腕部２２に形成する。
ハーネス取付部２０の台座部１６側（シートの回転中心に対して内側）にハーネス２５のスイッチ接続線部分２６を位置させ、ハーネス２５はハーネス取付腕部２２に係止部材２７により係止する。
したがって、ハーネス２５のスイッチ接続線部分２６はストッパ解除スイッチ１１およびシフトロックスイッチ１２とハーネス取付部２０との間に位置し、ハーネス２５とストッパ解除スイッチ１１およびシフトロックスイッチ１２は取付台座１５に一体的に固定されるから、取付台座１５ごとハーネス２５とストッパ解除スイッチ１１およびシフトロックスイッチ１２を持ち運びしても、ハーネス２５のスイッチ接続線部分２６が外れるのを防止する。
【０００９】
３０はハーネス２５に設けたフック部材であり、取付用ブラケット２に設けた係合部３１に係合させる。３２はハーネス２５の端部に設けたコネクタであり、前記ソレノイド８に接続する。
しかして、取付用ブラケット２は、シートの回転方向に長く形成し、取付用ブラケット２の長さ方向の何れか一方に操作伝達部材３を何れか他方に回転操作規制ストッパー６を設け、操作伝達部材３と回転操作規制ストッパー６の間にソレノイド８を位置させ、シートの回転中心に対して操作伝達部材３の外側にストッパ解除スイッチ１１とシフトロックスイッチ１２を配置する。
また、前記ソレノイド８にコネクタ３２を接続するコネクタ接続部３３は、シートの回転中心に対してソレノイド８の内側に配置する。
【００１０】
しかして、前記ストッパ解除スイッチ１１およびシフトロックスイッチ１２は、シートの回転を規制するためのものであり、その作用は任意であるが、以下一例を示す。
ストッパ解除スイッチ１１はスイッチ接触体１０が接触すると、ソレノイド８に通電して、回転操作規制ストッパー６を退避させる。また、シフトロックスイッチ１２はスイッチ接触体１０が接触すると、シフトレバーをＰレンジに保持させるシフトロック機構を作動させる。
この場合、回転操作レバーは、シフトレバーがＰレンジ以外に位置するときは、回転操作規制ストッパー６に回転規制突部５が当接することにより操作が規制されるが、このように操作が規制されていてもスイッチ接触体１０がストッパ解除スイッチ１１に当接するまでの操作は可能になるように、回転規制突部５と回転操作規制ストッパー６の間には所定の大きさの隙間を設けて配置する。
【００１１】
なお、スイッチ接触体１０がストッパ解除スイッチ１１に当接してもシートの回転ロック装置のロックは解除しないように構成する。
また、図示は省略するが、シフトレバー１５の近傍位置にはシフトレバーがＰレンジ（駐車位置）に位置するか否かを検出するＰレンジ検出S1を設け、該Ｐレンジ検出S1がシフトレバー１５がＰレンジであると検知した状態で、スイッチ接触体１０がストッパ解除スイッチ１１に当接すると、ソレノイド８に通電するように構成する。
【００１２】
即ち、回転操作レバーは、操作が規制させれていても、ストッパ解除スイッチ１１に当接するまで機械的に操作可能であるから、Ｐレンジ検出S1によりシフトレバーのＰレンジを確認したときのみ、ソレノイド８に通電し、それ以外ではスイッチ接触体１０がストッパ解除スイッチ１１に当接してもソレノイド８に通電させないように構成することで、シフトレバーがＰレンジ以外に位置するときの回転操作レバー１０の操作を実質状の不能状態にする。
しかして、前記シフトロックスイッチ１２もシートの回転ロック装置がアンロックに変位する前にスイッチ接触体１０が当接するように配置し、シートの回転ロック装置がアンロックになると、シフトレバーをＰレンジにシフトロックする。
【００１３】
【作用】
次に作用を述べる。
回転操作規制装置１は、取付用ブラケット２に回転操作レバーの操作を検出するストッパ解除スイッチ１１とシフトロックスイッチ１２を設けるが、ストッパ解除スイッチ１１とシフトロックスイッチ１２は取付台座１５の台座部１６に並設した状態で固定し、この取付台座１５を取付用ブラケット２に取付けるから取り付けが容易となる。
取付台座１５は、左右方向の台座部１６にストッパ解除スイッチ１１とシフトロックスイッチ１２をカシメにより固定し、台座部１６には平板状に台座中間部２１を介してハーネス取付部２０を設けているから、ハーネス取付部２０にハーネス２５を添わせて係止部材２７により固定する。
【００１４】
この場合、ハーネス取付部２０にハーネス２５のスイッチ接続線部分２６を位置させ、ハーネス２５のスイッチ接続線部分２６はストッパ解除スイッチ１１およびシフトロックスイッチ１２とハーネス取付部２０との間に位置し、ハーネス２５とストッパ解除スイッチ１１およびシフトロックスイッチ１２は取付台座１５に一体的に固定されるから、取付台座１５ごとハーネス２５とストッパ解除スイッチ１１およびシフトロックスイッチ１２を持ち運びしても、ハーネス２５のスイッチ接続線部分２６とストッパ解除スイッチ１１およびシフトロックスイッチ１２との接続が外れることはない。
したがって、ストッパ解除スイッチ１１およびシフトロックスイッチ１２とハーネス２５を取付台座１５に組み付けて一つの組立部品として構成し、この取付台座１５を取付用ブラケット２に取付ければよく、部品管理、運搬、取付のあらゆる作業の作業性を向上させ、耐久性を向上させる。
【００１５】
しかして、取付台座１５のハーネス取付部２０は台座中間部２１に対して起立して設け、ハーネス取付部２０は台座中間部２１より左右に幅広に形成して腕状のハーネス取付腕部２２に形成しているから、ハーネス２５は係止部材２７をハーネス取付腕部２２ごと巻き付けるように止着すればよいので、取り付けを頗る容易にする。
また、起立したハーネス取付部２０とストッパ解除スイッチ１１およびシフトロックスイッチ１２の空間内にハーネス２５のスイッチ接続線部分２６を位置させているから、取付台座１５を取付用ブラケット２に取付ける前後に亘って、スイッチ接続線部分２６とストッパ解除スイッチ１１およびシフトロックスイッチ１２との接続部分は保護される。
【００１６】
また、ハーネス２５にフック部材３０を設け、取付用ブラケット２にフック部材３０の係合する係合部３１を設けているから、ハーネス２５は取付用ブラケット２に止着されて、種々の作業を容易にすると共に、ハーネス２５を保護する。
しかして、取付用ブラケット２は、シートの回転方向に長く形成し、取付用ブラケット２の長さ方向の何れか一方に操作伝達部材３を何れか他方に回転操作規制ストッパー６を設け、操作伝達部材３と回転操作規制ストッパー６の間にソレノイド８を位置させ、シートの回転中心に対して操作伝達部材３の外側にストッパ解除スイッチ１１とシフトロックスイッチ１２を配置しているから、合理的な配置となって、回転操作規制装置１の全体を小型にする。
【００１７】
また、ハーネス２５のコネクタ３２を接続するソレノイド８のコネクタ接続部３３は、シートの回転中心に対してソレノイド８の内側に配置しているから、コネクタ３２とコネクタ接続部３３にシートのフレーム等の部材が回転する際に接触するのを防止できて、好適である。
なお、理解を容易にするために、左右等の方向や各部の形状を説明しているが、これらによって、本願の構成が限定される訳でなく、取付け位置等は任意であり、これにより取付方向や作動方向は変化し、種々の場合が想定される。
【００１８】
【効果】
本発明は、車体等の固定部に対して回転可能に座席シートおよび背凭シートからなるシートを取付け、該シートを一方側と他方側の夫々の向きに固定する回転ロック装置の回転操作レバーの操作を規制する装置において、前記回転操作レバーの操作を検出するストッパ解除スイッチ１１とシフトレバーが保持されていることを検出するシフトロックスイッチ１２と、少なくとも、前記回転操作レバーの操作に連動する操作伝達部材３とを有し、前記ストッパ解除スイッチ１１とシフトロックスイッチ１２との夫々は、該ストッパ解除スイッチ１１およびシフトロックスイッチ１２に接続するハーネス２５のスイッチ接続線部分２６と共に、前記操作伝達部材３を取付けた前記シートまたは車体側に取付ける取付用ブラケット２とは別体の取付台座１５に取付け、該取付台座１５は前記取付用ブラケット２に固定した回転シートのロック装置としたものであるから、接続作業を容易にして、組立作業等の作業性を向上させ、接触部分の耐久性を向上、全体を小型化できる。
本発明は、前記ストッパ解除スイッチ１１とシフトロックスイッチ１２は一方側に夫々のスイッチ端子１８を他方側に夫々の接続用端子１９を並設して取付台座１５の台座部１６に取付け、台座部１６の接続用端子１９側に所定間隔を置いて起立するハーネス取付部２０を設け、該ハーネス取付部２０にハーネス２５を添わせると共にスイッチ接続線部分２６を位置させて固定した回転シートのロック装置としたものであるから、接続作業を容易にして、組立作業等の作業性を向上させ、接触部分の耐久性を向上、全体を小型化できる。
本発明は、前記取付台座１５は、前記ストッパ解除スイッチ１１とシフトロックスイッチ１２を取付ける台座部１６と、該台座部１６に所定間隔を置いて対峙するハーネス取付部２０と、台座部１６とハーネス取付部２０との間に設けた台座中間部２１とにより構成し、前記ハーネス取付部２０は前記台座中間部２１より突出するハーネス取付腕部２２を有し、該ハーネス取付腕部２２にハーネス２５を係止部材２７により止着した回転シートのロック装置としたものであるから、接続作業を容易にして、組立作業等の作業性を向上させ、接触部分の耐久性を向上、全体を小型化できる。
本発明は、前記取付用ブラケット２には、前記ストッパ解除スイッチ１１とシフトロックスイッチ１２およびハーネス２５を取付けた取付台座１５と、前記ストッパ解除スイッチ１１とシフトロックスイッチ１２に接触するスイッチ接触体１０および回転規制突部５を有する回転操作レバーの操作に連動して回動する平板状の操作伝達部材３と、前記回転規制突部５の移動路に臨んで該回転規制突部５に当接するストッパ位置と移動路より退避する退避位置の間移動する回転操作規制ストッパー６および該回転操作規制ストッパー６を作動させるソレノイド８とを設け、前記取付用ブラケット２はシートの回転方向に長く形成し、該取付用ブラケット２の長さ方向の何れか一方に操作伝達部材３を何れか他方に回転操作規制ストッパー６を設け、操作伝達部材３と回転操作規制ストッパー６の間にソレノイド８を位置させ、シートの回転中心に対して操作伝達部材３の外側にストッパ解除スイッチ１１とシフトロックスイッチ１２を配置した回転シートのロック装置としたものであるから、接続作業を容易にして、組立作業等の作業性を向上させ、接触部分の耐久性を向上させ、単に配置の工夫だけで、シフトロックされているときの操作レバー１０の操作を確保でき、合理的な構成で、全体の小型化、コストの削減、軽量化に貢献できる。
本発明は、前記ハーネス２５のコネクタ３２を接続する回転操作規制ストッパー６のコネクタ接続部３３は、シートの回転中心に対して回転操作規制ストッパー６の内側に配置した回転シートのロック装置としたものであるから、コネクタ３２とコネクタ接続部３３にシートのフレーム等の部材が回転する際に接触するのを防止できるだけでなく、シート回転体の面積を可及的に大きくできる。
【図面の簡単な説明】
【図１】    回転操作規制装置の平面図。
【図２】    同分解状態平面図。
【符号の説明】
１…回転操作規制装置、２…取付用ブラケット、３…操作伝達部材、４…伝達部材取付軸、５…回転規制突部、６…回転操作規制ストッパー、７…ストッパー取付軸、８…ソレノイド、９…作動片、１０…スイッチ接触体、１１…ストッパ解除スイッチ、１２…シフトロックスイッチ、１５…取付台座、１６…台座部、１７…取付部、１８…スイッチ端子、１９…接続用端子、２０…ハーネス取付部、２１…台座中間部、２２…ハーネス取付腕部、２５…ハーネス、２６…スイッチ接続線部分、２７…係止部材、３０…フック部材、３１…係合部、３２…コネクタ、３３…コネクタ接続部。
【図１】
0004825358.tif 000002
【図２】
0004825358.tif 000003